(57)【要約】      （修正有）【課題】人体やペット等に携帯又は着脱可能に装着され身体を任意の温度に冷却又は加温でき、愛玩性と実用性を有する冷却式又は加温式ぬいぐるみを提供する。【解決手段】ぬいぐるみ１００Ａは柔軟性の被包体からなる外皮１Ａと、その空間部２Ａ内に収納されているジェル６又は保冷材８からなる冷却体、又は加温体をを有する。【選択図】図３
0003154613.tif 000002
【実用新案登録請求の範囲】
【請求項１】
携帯又は着脱形式のものからなり、身体に所望の温度の冷却又は加温を行うためのぬいぐるみであって、該ぬいぐるみは、柔軟性の被包体からなる外皮と、該外皮を冷却又は加温するための冷却体又は加温体を有するものからなることを特徴とする冷却式又は加温式ぬいぐるみ。
【請求項２】
前記冷却体がジェル又は保冷材からなり、前記加温体がコントローラ付きの電気ヒータからなることを特徴とする請求項１に記載の冷却式又は加温式ぬいぐるみ。
【請求項３】
前記請求項１に記載の冷却式又は加温式ぬいぐるみにおける冷却式ぬいぐるみにおいて、前記ジェルは前記外皮内に収納されると共に前記ジェル又は保冷材は前記外皮により囲まれる空間内に挿脱可能に配置されるものからなることを特徴とする請求項２に記載の冷却式又は加温式ぬいぐるみ。
【請求項４】
前記外皮の内面にはアルミ材が配設されることを特徴とする請求項３に記載の冷却式又は加温式ぬいぐるみ。
【請求項５】
前記請求項１に記載の冷却式又は加温式ぬいぐるみにおける加温式ぬいぐるみにおいて、前記電気ヒータが前記外皮内に配置されるものからなることを特徴とする請求項２に記載の冷却式又は加温式ぬいぐるみ。
【請求項６】
前記冷却式又は加温式ぬいぐるみには前記外皮内に身体に弾着可能なバネ材が設けられるものからなることを特徴とする請求項１乃至４のいずれかに記載の冷却式又は加温式ぬいぐるみ。
【考案の詳細な説明】
【技術分野】
【０００１】
本考案は、ぬいぐるみに係り、特に所望の温度に冷却又は加温できて身体を冷却又は加温する携帯式又は着脱式の冷却式又は加温式ぬいぐるみに関する。
【背景技術】
【０００２】
愛玩用や介護用として従来より各種のぬいぐるみが例えば「特許文献１」等に開示されているが、人やペット等に所望の温度の冷気や温気を与えるものは数少なく特に冷却式のものは開示されておらず、加温式のものとしては「特許文献２」が存在するのみである。
【先行技術文献】
【特許文献】
【０００３】
【特許文献１】特開２００９−１００９６８（図１）
【特許文献２】特開２００６−２０９６１（図４）
【考案の概要】
【考案が解決しようとする課題】
【０００４】
「特許文献１」の「特開２００９−１００９６８号」の「ぬいぐるみ、及び玩具」は愛玩用の普通のぬいぐるみであり、外皮が長い毛（３）で覆われており、毛（３）を刈り取り可能に形成される可愛いぬいぐるみであり、冷却や加温には無関係のものである。一方、「特許文献２」の「特開２００６−２０９６１号」の「介護用ぬいぐるみ」はぬいぐるみ本体（１）内にその開口部（３）から加温してぬいぐるみ本体（１）の表面温度を体温付近に保持するものであり、特に高齢者の保温用のものであり、加温される温度も前記のように一定のものからなる。
【０００５】
特に日本では四季が明確に発生し外気温度も四季に応じて大きく変化する。このような環境下においてはぬいぐるみは単に愛玩用や介護用にのみ使用されることは不十分であり、外気に対応して冷却又は加温できる形態のものが必要である。この場合ぬいぐるみとしての愛玩性は必要であるが、携帯又は着脱可能の形式のものが望ましい。
【０００６】
本考案は、以上の事情に鑑みて考案されたものであり、所望の温度を身体に与えることができると共に愛玩体としても機能し、又被服としても機能し得る冷却式又は加温式ぬいぐるみを提供することを目的とする。
【課題を解決するための手段】
【０００７】
本考案は、以上の目的を達成するために、請求項１の考案は、携帯又は着脱形式のものからなり、身体に所望の温度の冷却又は加温を行うためのぬいぐるみであって、該ぬいぐるみは、柔軟性の被包体からなる外皮と、該外皮を冷却又は加温するための冷却体又は加温体を有するものからなることを特徴とする。
【０００８】
また、請求項２の考案は、前記冷却体がジェル又は保冷材からなり、前記加温体がコントローラ付きの電気ヒータからなることを特徴とする。
【０００９】
また、請求項３の考案は、前記請求項１に記載の冷却式又は加温式ぬいぐるみにおける冷却式ぬいぐるみにおいて、前記ジェルは前記外皮内に収納されると共に前記ジェル又は冷却材は前記外皮により囲まれる空間内に挿脱可能に配置されるものからなることを特徴とする。
【００１０】
また、請求項４の考案は、前記外皮の内面にはアルミ材が配設されることを特徴とする。
【００１１】
また、請求項５の考案は、前記請求項１に記載の冷却式又は加温式ぬいぐるみにおける加温式ぬいぐるみにおいて、前記電気ヒータが前記外皮内に配置されるものからなることを特徴とする。
【００１２】
また、請求項６の考案は、前記冷却式又は加温式ぬいぐるみには前記外皮内に身体に弾着可能なバネ材が設けられるものからなることを特徴とする。
【考案の効果】
【００１３】
本考案の請求項１の冷却式又は加温式ぬいぐるみによれば、柔軟性の外皮のため携帯や着脱が快適に容易に可能であると共に外気温や環境状態に対応して温度の調整が自由にできる効果を上げることができる。
【００１４】
また、請求項２の冷却式又は加温式ぬいぐるみによれば、冷却体として一般に便利に使用されているジェルや保冷材が用いられ、この使用量の加減により所望の冷気を外皮側に発生させることができる。また、加温体としてコントローラ付きの電気ヒータを用いるため、外皮の加熱温度を自由に調整することができる。
【００１５】
また、請求項３の冷却式又は加温式ぬいぐるみによれば、冷却材や加温材が外皮及び／又は内部に設けられるため、外皮の温度調整の自由度を向上させることが確実にできる。
【００１６】
また、請求項４の冷却式又は加温式ぬいぐるみによれば、外皮の内面にアルミ材を用いるため、外皮内の空間内に挿入されたジェルや保冷材の外皮側への発汗伝達を防止することができる。
【００１７】
また、請求項５の冷却式又は加温式ぬいぐるみによれば、電気ヒータが外皮内に収納されているため外皮の加熱温度の自由な調整が確実にできる。
【００１８】
また、請求項６の冷却式又は加温式ぬいぐるみによれば、外皮内にはバネ材が設けられているため、本考案のぬいぐるみを身体の頭部やその他の部位に簡単に弾着することができる。これにより、ファション性と携帯性の向上が図れる。
【図面の簡単な説明】
【００１９】
【図１】本考案の冷却式又は加温式ぬいぐるみの外観を示す模式的正面図。
【図２】図１のＡ−Ａ線断面図。
【図３】外皮とその内部の空間部に冷却材（ジェルや保冷材）及びアルミ箔を挿入した本考案の冷却式又は加温式ぬいぐるみの図１におけるＡ−Ａ線断面図に相当する断面図。
【図４】本考案における加温式ぬいぐるみの図１におけるＡ−Ａ線断面図に相当する断面図。
【図５】着脱形式の本考案のぬいぐるみを示す模式的斜視図。
【図６】バネ材を設けた本考案の冷却式又は加温式ぬいぐるみを示す模式的正面図。
【図７】図６のバネ材を設けた冷却式又は加温式ぬいぐるみの使用状態の一例を示す模式的正面図。
【考案を実施するための形態】
【００２０】
以下、本考案の冷却式又は加温式ぬいぐるみの実施の形態を図面を参照して詳述する。
本考案の冷却式又は加温式ぬいぐるみ１００（図１に示す）は大別して冷却式ぬいぐるみ１００Ａと加温式ぬいぐるみ１００Ｂに区分される冷却式又は加温式ぬいぐるみ１００としては図１及び図２にその一例を示すようにペット形状の柔軟性の被包体である外皮１からなり、この外皮１は例えばその内部に空間部２を形成すると共に首３を胴体４の部分と分離するための例えばチャック５に設けられている。なお、ペットの形状は任意のものからなる。
外皮１は冷却式ぬいぐるみ１００Ａと加温式ぬいぐるみ１００Ｂとでは異なる材質のものからなるが前記のように柔軟性があり、かつその表面がソフトの感じのものからなることが望ましい。また、外皮１には顔が形成されるため目，耳，口等が設けられていると共にその部分や身体全体が着色されるものが採用されるが勿論この内容は限定するものではない。
【実施例１】
【００２１】
図３は冷却式ぬいぐるみ１００Ａの一例を示すものである。この冷却式ぬいぐるみ１００Ａは内部にジェル６を収納している外皮１Ａからなり、この外皮１Ａはジェル６を安全的に収納していると共に屈曲性のある材質からなるが、その詳細内容は限定するものではない。この外皮１Ａには空間部２Ａが形成されており、この空間部２Ａ内にはジェル６を入れた別体の小袋７や保冷材８を入れた別体小袋９が複数個収納されている。なお、この小袋７，９はチャック５の部分から空間部２Ａ内に収納され、着脱自在であり、交換可能のものからなる。また、本実施例では外皮１Ａの内面にはアルミ箔１０が設けられているが、これは小袋７や９の湿り気が外皮１Ａ側に伝達することを防止するものであるが設けることを限定するものではない。
【００２２】
以上の構造の冷却式ぬいぐるみ１００Ａはその外皮１Ａの表面を任意の温度に保持することが可能であり、この冷却式ぬいぐるみ１００Ａを携帯することにより身体の冷却が可能となり、夏季等において適度の身体の冷却を行うことができる。また、外皮１Ａが柔軟性のため身体が任意の場所に収納や保持可能であり、不必要時にはバックやカバン等に収納することも可能である。なお、この冷却式ぬいぐるみ１００Ａのサイズは必要に応じて任意のものが形成されることは勿論である。
【実施例２】
【００２３】
図４は加温式ぬいぐるみ１００Ｂの一例を示すものである。この加温式ぬいぐるみ１００Ｂは外皮１Ｂのみからなり、その空間部２Ｂには何にも収納されていないが、必要に応じてカイロ等の加温体を着脱可能に収納しても勿論よい。
本実施例の加温式ぬいぐるみ１００Ｂは外皮１Ｂ内に電気ヒータ１１を収納する柔軟性の被包体からなる。電気ヒータ１１を収納するため外皮１Ｂが電気ヒータ１１を安全に収納保持し得る材質からなることは勿論であり、その内容は限定するものではない。この電気ヒータ１１はコントローラ１２を介して１００ｖ電源１３や電池１４に連結される。このコントローラ１２の作用により外皮１Ｂの温度を自由にコントロールすることができる。これにより冬季等における身体の加温を自由に行うことができる。
【実施例３】
【００２４】
図５は携帯式でない着脱式の冷却式又は加温式ぬいぐるみ１００Ｃの外観を示すものである。この冷却式又は加温式ぬいぐるみ１００Ｃとしては冷却式のものと加温式のものがあるが、その構造としては前記の実施例１や実施例２が参考になるものであり、その構造説明を詳細する。この冷却式又は加温式ぬいぐるみ１００Ｃは身体に着脱可能にセットするものであり、例えば、チャック２やチャック１５，１６等が設けられている。この冷却式又は加温式ぬいぐるみ１００Ｃを装着することにより、身体の冷却や加温ででき、装着した状態で移動することも可能である。
【実施例４】
【００２５】
図６に示す冷却式又は加温式ぬいぐるみ１００Ｄはバネ１７を外皮１等の内部や裏面等に配設したものであり、弾着性を有するぬいぐるみからなる。このバネ１７により、例えば、図７に示すように冷却式又は加温式ぬいぐるみ１００Ｄを人体１８の頭１９や胴体２０の背部２１に保持させることができ、携帯性の向上が図れる。
【００２６】
本考案の冷却式又は加温式ぬいぐるみは以上の説明の内容のものからなるが、その内容は以上のものに限定されるものではなく、同一技術的範疇のものが適用されることは勿論である。
【産業上の利用可能性】
【００２７】
本考案の冷却式又は加温式ぬいぐるみはペット状のものからなり、人間用のみならずペット用にも当然使用されるものであり、そのサイズも形態任意のものであり、愛玩のものから実用性のものまで適用され、その利用範囲は極めて広い。
【符号の説明】
【００２８】
１    外皮
１Ａ  外皮
１Ｂ  外皮
２    空間部
２Ａ  空間部
２Ｂ  空間部
３    首
４    胴体
５    チャック
６    ジェル
７    小袋
８    保冷材
９    小袋
１０  アルミ箔
１１  電気ヒータ
１２  コントローラ
１３  電源（１００ｖ）
１４  電池
１５  チャック
１６  チャック
１７  バネ
１８  人体
１９  頭
２０  胴体
２１  背部
【図１】
0003154613.tif 000003
【図２】
0003154613.tif 000004
【図３】
0003154613.tif 000005
【図４】
0003154613.tif 000006
【図５】
0003154613.tif 000007
【図６】
0003154613.tif 000008
【図７】
0003154613.tif 000009